(57)【要約】【課題】  住宅の設計図面データを用いて、その住宅に建材を適用する施工シミュレーションを行うシステムであって、顧客や住宅の特性に適合した建材のみが選択的に顧客等に提示される施工シミュレーションシステムを提供する。【解決手段】  顧客データと、建材データと、顧客の住宅に関するデータとを記憶するデータベースと、前記顧客データ、建材データ及び顧客の住宅に関するデータに基づいて、顧客の住宅に適合する建材を選定する建材選定部と、住宅の設計図面データに対して建材を適用して施工イメージデータを生成する施工シミュレーション機能部と、を備えたサーバ装置とを含んでおり、前記施工シミュレーション機能部は、前記建材選定部により選定された建材のみを適用可能な建材として提示することを特徴とする建材の施工シミュレーションシステム。【選択図】  図２
2005242925.tif 000002
【特許請求の範囲】
【請求項１】
顧客データと、建材データと、顧客の住宅に関するデータとを記憶するデータベースと、
前記顧客データ、建材データ及び顧客の住宅に関するデータに基づいて、顧客の住宅に適合する建材を選定する建材選定部と、住宅の設計図面データに対して建材を適用して施工イメージデータを生成する施工シミュレーション機能部と、を備えたサーバ装置とを含んでおり、
前記施工シミュレーション機能部は、前記建材選定部により選定された建材のみを適用可能な建材として提示することを特徴とする建材の施工シミュレーションシステム。
【請求項２】
前記建材選定部は、顧客の住宅の用途、構造及び所在地と、建材の仕様及び性能とに基づいて顧客の住宅に適合する建材を選定することを特徴とする請求項１に記載の建材の施工シミュレーションシステム。
【請求項３】
前記データベースは、住宅に関する法令情報をさらに記憶しており、
前記建材選定部は、前記法令情報に基づいて顧客の住宅に適合する建材を選定することを特徴とする請求項１又は２に記載の建材の施工シミュレーションシステム。
【請求項４】
前記住宅に関する法令情報は、防火・耐火に関する基準を含んでおり、
前記建材選定部は、防火・耐火性能が前記基準を満たす建材を選定することを特徴とする請求項３に記載の建材の施工シミュレーションシステム。
【請求項５】
前記データベースは、建材のデザインコンセプトに関するデータをさらに記憶しており、
前記建材選定部は、前記デザインコンセプトに関するデータに基づいて顧客の住宅に適合する建材を選定することを特徴とする請求項１から４のいずれか１項に記載の建材の施工シミュレーションシステム。
【請求項６】
前記建材選定部は、施工シミュレーションにおいて、既に住宅の設計図面データに適用されている建材のデザインコンセプトに関するデータと適合する建材を選定することを特徴とする請求項５に記載の建材の施工シミュレーションシステム。
【請求項７】
前記サーバ装置は、顧客のクライアント装置から、建材商品の注文を受け付ける受注管理部をさらに備えていることを特徴とする請求項１から６のいずれか１項に記載の建材の施工シミュレーションシステム。
【発明の詳細な説明】
【技術分野】
【０００１】
本発明は、住宅の設計図面データを用いて、その住宅に建材を適用する施工シミュレーションを行うシステムに関し、特に、顧客や住宅の特性に基づいてその住宅に適合する建材を選定し、それらの建材のみを用いて施工シミュレーションを行うことができるコンピュータシステムに関するものである。
【背景技術】
【０００２】
顧客が住宅を建築する際には、設計図面を作成し、その設計図面に応じて内装及び外装のデザインを選定する。外装のデザインとしては、窓などの開口部の位置や屋根の形状（切妻、寄棟等）を決定した後、外壁材や屋根材の選定を行う。外壁や屋根のデザインは、様々な形状寸法の様々な模様、柄、色彩を有する外壁材や屋根材の基材を複数配列して表現されるものである。
【０００３】
設計業者や工務店などは、設計図面の外観部分に外壁材や屋根材を適当に貼り付けたデザインを構成し、住宅の施工完成イメージとしていくつかの案を顧客に提示し、好みのデザインを選ばせるのが一般的である。ところが、近年の描画処理ソフトウェアの進歩により、顧客自らが外壁材や屋根材のカタログ等から基材を選択し、それらを画面表示された設計図面の外観上に好みの態様で貼り付けて施工完成イメージを作成することもできるようになっている。
【０００４】
特許文献１には、以上のような住宅の外観デザインを生成するシミュレーションを、ネットワークで接続されたサーバークライアント間で実現するシステムが記載されている。特許文献１のシステムでは、顧客はクライアント装置を用いて、サーバ装置からシミュレーションに必要な建材画像等のデータを取得し、クライアント装置に保持している家屋画像データなどに貼り付けることにより、住宅の外観デザイン生成のシミュレーションを行うことができるとされている。
【０００５】
特許文献２には、インターネットを通じて設計事務所、建材業者、専門施工業者等、関係業者のそれぞれが所有するデータの提供を受けた積算事務所において、種々の設計図対応の建築コスト情報を各種算出データ化することを特徴とする建築コスト管理方法が記載されている。特許文献２のシステムでは、設計事務所、建材業者、専門施工業者等、関係業者のそれぞれがＣＡＤシステムを含んだ端末を有しており、設計図面データを含む必要な情報をオンラインで授受することができるようになっている。
【０００６】
【特許文献１】特開平１１−３９３９０号公報（特に、第００２８〜第００２９段落）。
【特許文献２】特開２００２−４１８７９号公報（特に、請求項１、請求項１２、第００７１〜第００９０段落）。
【発明の開示】
【発明が解決しようとする課題】
【０００７】
ところで、建材メーカーは多種多様（数百種程度）の建材を供給しているので、顧客や工務店、住宅供給業者などは、膨大なカタログデータの中から住宅の外装に使用する建材商品を選定しなければならない。これは、紙製のカタログから建材商品を選定する場合であっても、上記したようなコンピュータ上での施工シミュレーションにおいて建材イメージを選定する場合であっても、顧客等にとっては大変煩雑で時間のかかる作業となっている。
【０００８】
一方で、住宅の建物構造や所在地域などによって、その住宅の外装に使用できる建材商品が限定される場合が少なくない。例えば、建築基準法では、住宅の所在地域ごと及び住宅の建築形態ごとに防火基準を規定しており、住宅を建築する際には、この防火基準に適合した住宅となるように、各建材商品の防火性・耐火性等を考慮して外装を行わなければならない。図１７は、建築物の防火性能と外壁に要求される耐火構造とからある建材商品が使用できるかどうかを一覧表示した図である。図１８及び図１９は、それぞれ、防火地域及び準防火地域において建築物の用途や構造と防火規制とからある建材商品が使用できるかどうかを一覧表示した図である。
【０００９】
また、建材商品の中には、耐久性・断熱性等の条件から使用地域を限定したもの（例えば、寒冷地域向け等）もあるため、住宅の建築場所によって使用できる建材商品が異なってくる。
【００１０】
ところが、顧客等がコンピュータ上での施工シミュレーションにおいて、好みの建材商品を選定して施工イメージを生成したとしても、それらの建材商品がその住宅についての防火基準や使用地域限定などに適合するものであるかどうかは分からないため、建材商品の発注後に建材メーカーが住宅に不適切な建材商品が選定されることに気付き、その旨を顧客等に通知して別の建材商品を選定しなおしてもらわなければならない状況も生じ得る。そうすると、顧客等は、コンピュータ上での施工シミュレーションにより、せっかく選定した外装デザインを変更しなければならないこととなり、２度手間となるばかりか、施工シミュレーションのメリットが半減されることになってしまう。
【００１１】
特許文献１に記載のシステムは、クライアント装置において予め記憶しているいくつかの代表的な家屋モデルパターンを表示し、その屋根部や外壁部に対して顧客が建材イメージを貼り付けて、住宅の外観デザインをシミュレーションするものであるが、建材のデザインや形状寸法などが設定されているのみであり、ユーザはシミュレーションにおいて建材の材質・性能等の情報を得る術がない。
【００１２】
特許文献２に記載のシステムは、建物のグレードを選択した後、ユーザが好みの部材を自動的設計図に割り付ける（第００７１段落参照）と、合成単価が自動積算される仕組みになっているが、使用する部材の数量は、単に壁面積等から算出される（第００７７段落参照）と記載されているのみであり、ユーザは建材の割り付け処理において建材の材質・性能等の情報を得る術がない。
【００１３】
また、住宅の外装デザインは、各建材のデザインを組み合わせて１つの調和したデザインコンセプトとして構成するものであり、顧客等は施工シミュレーションを行う際に、建材デザインの選定を他の部分のデザインとのバランスを考慮しながら行うものと考えられる。例えば、各出隅部にばらばらのデザインの出隅部材を用いたり、様式の異なる建材を無造作に配列したりすることは考えられない。そうすると、顧客等が建材のデザインを選定する際には、他の部分のデザインとの関係を考慮すると、多数ある建材商品の中でも顧客が実際に選択する可能性のある建材デザインは限られたものとなる。
【００１４】
ところが、特許文献１及び２に記載のシステムや他の従来の施工シミュレーションシステムでは、そのような観点が欠落しており、住宅の外装デザイン全体の調和性を考慮することなく、ただ供給可能な全ての建材をユーザに提示するものであった。
【００１５】
本発明は、このような実情に鑑みてなされたものであり、住宅の設計図面データを用いて、その住宅に建材を適用する施工シミュレーションを行うシステムであって、顧客や住宅の特性に適合した建材や、住宅の外装全体にかかるデザインコンセプトに適合した建材のみが選択的に顧客等に提示される施工シミュレーションシステムを提供しようとするものである。
【課題を解決するための手段】
【００１６】
上記解決課題に鑑みて鋭意研究の結果、本発明者は、顧客情報、顧客の住宅の構造、用途、所在地等の情報、関連法規情報などを予め取得しておき、施工シミュレーションにおいて、それらの条件に適合する建材のみを住宅図面に適用可能な建材として顧客等に提示する施工シミュレーションシステムに想到した。
【００１７】
すなわち、本発明は、顧客データと、建材データと、顧客の住宅に関するデータとを記憶するデータベースと、前記顧客データ、建材データ及び顧客の住宅に関するデータに基づいて、顧客の住宅に適合する建材を選定する建材選定部と、住宅の設計図面データに対して建材を適用して施工イメージデータを生成する施工シミュレーション機能部と、を備えたサーバ装置とを含んでおり、前記施工シミュレーション機能部は、前記建材選定部により選定された建材のみを適用可能な建材として提示することを特徴とする建材の施工シミュレーションシステムを提供するものである。
【００１８】
本発明の施工シミュレーションシステムにおいて、前記建材選定部は、顧客の住宅の用途、構造及び所在地と、建材の仕様及び性能とに基づいて顧客の住宅に適合する建材を選定することを特徴とする。
【００１９】
例えば、寒冷地向けの建材商品や特定構造の住宅向けの建材商品などは、その条件を満たす住宅の施工シミュレーションを行う場合にのみ選定されることとなる。
【００２０】
本発明の施工シミュレーションシステムにおいて、前記データベースは、住宅に関する法令情報をさらに記憶しており、前記建材選定部は、前記法令情報に基づいて顧客の住宅に適合する建材を選定することを特徴とする。具体例としては、前記住宅に関する法令情報は、防火・耐火に関する基準を含んでおり、前記建材選定部は、防火・耐火性能が前記基準を満たす建材を選定することを特徴とする。
例えば、顧客の住宅の所在地域や建物構造に応じて建築基準法に規定されている防火・耐火基準に適合するように、建材商品の仕様及び性能に基づいて、建材を選定することとなる。
【００２１】
本発明の施工シミュレーションシステムにおいて、前記データベースは、建材のデザインコンセプトに関するデータをさらに記憶しており、前記建材選定部は、前記デザインコンセプトに関するデータに基づいて顧客の住宅に適合する建材を選定することを特徴とする。
【００２２】
これにより、選定されたデザインコンセプトに合致する建材のみを顧客に提示することができるので、顧客等は効率的に施工シミュレーションを行うことができる。
【００２３】
本発明の施工シミュレーションシステムにおいて、前記建材選定部は、施工シミュレーションにおいて、既に住宅の設計図面データに適用されている建材のデザインコンセプトに関するデータと適合する建材を選定することを特徴とする。
【００２４】
これにより、施工シミュレーションにおいて建材の貼り付けがある程度進んだ段階では、既に貼り付けてある建材とデザイン的に調和する建材のみを他の部分に適用する建材の候補として提示すれば、顧客等は効率的に効率的に施工シミュレーションを行うことができる。
【００２５】
本発明の施工シミュレーションシステムにおいて、前記サーバ装置は、顧客のクライアント装置から、建材商品の注文を受け付ける受注管理部をさらに備えていることを特徴とする。
【発明の効果】
【００２６】
以上、説明したように、本発明によれば、住宅の設計図面データを用いて、その住宅に建材を適用する施工シミュレーションを行うシステムにおいて、顧客や住宅の特性に適合した建材や、住宅の外装全体にかかるデザインコンセプトに適合した建材のみが選択的に顧客等に提示され、顧客等はそれらの建材の中から好みのデザインを選定し貼り付けシミュレーションを行うことができる機能が提供される。これにより、顧客及び住宅ごとに異なる多様なニーズにきめ細やかに対応することができる。
【発明を実施するための最良の形態】
【００２７】
以下、添付図面を参照しながら、本発明の建材の施工シミュレーションシステムを実施するための最良の形態を詳細に説明する。図１〜図１６は、本発明の実施の形態を例示する図であり、これらの図において、同一の符号を付した部分は同一物を表わし、基本的な構成及び動作は同様であるものとする。
【００２８】
[１] 施工シミュレーションシステムの全体構成
図１は、本発明の施工シミュレーションシステムの一実施形態について、そのシステム構成例を概略的に示す図である。図１において、本実施形態のシステムは、建材メーカーに設置されたサーバ装置及びデータベースと、顧客が所有するクライアント装置、あるいは工務店や設計事業者等又はこれら事業者のショールームに設置されたクライアント装置とから構成されている。
【００２９】
サーバ装置と各クライアント装置とは、ネットワークを通じて通信可能なサーバ−クライアントシステムを構成している。サーバ装置及び各クライアント装置間それぞれの機能については、データベース層、ファンクション層（アプリケーションサーバ）、プレゼンテーション層（ユーザインターフェイス）からなる３層構造とするのが好ましい。この場合、建材メーカーにおいてデータベース及びアプリケーションサーバを備えるとともに、クライアント装置ではユーザインターフェイス（ＷＥＢブラウザ等）のみを備えるように構成することができる。
【００３０】
[２] サーバ装置及びデータベースの構成
図２は、図１に示す建材メーカーのサーバ装置及びデータベースの内部構成を概略的に示す機能ブロック図である。図２において、サーバ装置は、主制御部２００と、記憶部２０２と、ネットワークインターフェイス部２０４と、デザイン管理部２０６と、建材選定部２０８とから構成されている。また、データベース２２０は、顧客情報ファイル２２１、設計図面ファイル２２２、建材ファイル２２３、施工イメージファイル２２４及び法令情報ファイル２２５を含んでいる。
【００３１】
サーバ装置の主制御部２００は、ＣＰＵ、ＭＰＵ等の処理装置から構成されており、予め記憶されているプログラム等に従って、所定の演算を行い、本サーバ装置内の各構成部分の動作を制御し、各構成部分間のデータ通信を制御する。
【００３２】
記憶部２０２は、揮発性又は不揮発性の半導体記憶素子などから構成されており、主制御部２００の動作用プログラムを記憶したＲＯＭや、主制御部２００の作業領域として利用されるＲＡＭなどを含んでいる。また、各種データやアプリケーションプログラムなどを記憶しておくための磁気ディスク装置（ハードディスク）やリムーバブルディスクメディア（ＣＤ−Ｒ、ＭＯ等）などの補助記憶装置をさらに含んでいてもよい。
【００３３】
ネットワークインターフェイス部２０４は、ネットワークを通じてクライアント装置との通信を可能にするためのインターフェイスであり、ＮＩＣ（Network Interface Card）等のネットワークアダプタ及びこれを駆動するためのソフトウェアから構成されるものである。例えば、ネットワークがインターネットである場合には、ＴＣＰ／ＩＰ等のプロトコルを利用して通信を行うことができる。
【００３４】
デザイン管理部２０６は、データベース２２０に記憶されている設計図面ファイル及び建材ファイルのデータを管理するとともに、これらのデータを用いて施工シミュレーションを行う機能をクライアント装置に対して提供する。設計図面ファイル及び建材ファイルのデータ管理については、ＣＡＤ等の製図ソフトウェアで作成された図面データを編集加工することができる機能を備えているものとする（後述するクライアント装置の設計図面編集ソフトウェア４１２と互換性を有しているものとする）。施工シミュレーション機能とは、設計図面ファイルに含まれる任意の設計図面に対して建材ファイルに含まれる任意の建材イメージを適用して、住宅の施工イメージを生成する機能をいう。顧客等は、クライアント装置において設計図面や建材イメージを表示させて施工シミュレーションを行うことができる。顧客等が施工シミュレーションにより生成した施工イメージは、クライアント装置の記憶部４０２あるいはデータベース２２０の施工イメージファイル２２４に記憶される。
【００３５】
建材選定部２０８は、施工シミュレーションを行う際に、建材ファイル２２３に含まれる建材商品の中から、シミュレーション対象である住宅に適合した建材商品を選定する。施工シミュレーションにおいて住宅の設計図面に対して建材の貼り付けを行うステップでは、建材選定部２０８により選定された建材商品のみが提示されるようになっており、顧客等はそれらの建材商品の中から好みの建材を選んで、住宅の設計図面に貼り付けを行うことができる。建材選定部２０８は、顧客情報ファイル２２１に含まれる顧客の属性データ、設計図面ファイル２２２に含まれる住宅の設計基礎データ及び仕様データ、建材ファイル２２３に含まれる建材商品の性能データ及びデザインコンセプトデータ、施工イメージファイル２２４に含まれる施工基礎データ、並びに法令情報ファイル２２５に含まれる法令データに基づいて、シミュレーション対象である住宅に適合した建材商品を選定する。また、顧客等が住宅外装のデザインコンセプトを設定した場合には、当該デザインコンセプトに適合した建材商品を選定する。尚、建材選定部２０８は、サーバ装置上で動作するプログラムとして実装されているものであり、その具体的な機能については、後に詳細に説明する。
【００３６】
ＲＤＢＭＳ２３０は、データベース２２０を操作するための基本的なデータベース管理システム（Relational Database Management System）であり、主制御部２００はＲＤＢＭＳ２３０に命令することにより、データベース２２０に対して、データの検索、追加、更新、削除等の所定の操作を行うことができるようになっている。
【００３７】
図３は、データベース２２０内のファイル構成及びファイル間のリレーションを模式的に示す図である。図３において、データベース２２０の顧客情報ファイル２２１は、顧客の基本的な属性に関する情報、例えば、氏名、住所、電話番号、メールアドレス、施工予定などを含んでいる。尚、工務店、設計業者等が顧客の窓口となっている場合には、顧客の連絡先等は工務店、設計業者等の連絡先等に置き換えてもよい。設計図面ファイル２２２は、ＣＡＤデータ等で構成された設計図面データや、設計基礎データ、仕様データなどを、その施主である顧客の顧客コードとともに保持している。
【００３８】
建材ファイル２２３は、建材の商品名、寸法・形状、価格、防耐火性能や断熱性能データ、デザインコンセプトデータ及び建材のイメージデータを含んでいる。本実施形態において、デザインコンセプトデータは、各建材商品をそのデザインに基づいて分類し、グループ化し、あるいは関連付けるためのデータである。具体的には、同一のデザインコンセプトに属する建材商品は、デザインコンセプトデータにおいて共通するコードを含んでいるようにすればよい。例えば、同一柄の出隅部材と入隅部材とには、同一のコードを割り当てて置くなどする。
【００３９】
施工イメージファイル２２４は、施工シミュレーションにより生成された施工イメージや施工基礎データを保持している。また、施工イメージ中に用いられている設計図面の設計図面コードと、貼り付けられている建材の建材商品コードとを含んでいる。
【００４０】
法令情報ファイル２２５は、図１７〜図１９に示すような防耐火基準等の法令情報を含んでいる。具体的には、各種規定において防耐火の観点から要求されている建材の性能に関する情報が含まれている。尚、法令情報ファイル２２５は、他のファイルとのリレーションを持たないため、図３では図示を省略している。
【００４１】
[３] クライアント装置の構成
図４は、図１に示す各クライアント装置の内部構成を概略的に示す機能ブロック図である。図４において、クライアント装置は、主制御部４００と、記憶部４０２と、表示部４０４と、入力部４０６と、ネットワークインターフェイス部４０８と、ユーザインターフェイス部４１０と、設計図面編集ソフトウェア４１２とから構成されている。
【００４２】
クライアント装置の主制御部４００は、ＣＰＵ、ＭＰＵ等の処理装置から構成されており、予め記憶されているプログラム等に従って、所定の演算を行い、本クライアント装置内の各構成部分の動作を制御し、各構成部分間のデータ通信を制御する。
【００４３】
記憶部４０２は、揮発性又は不揮発性の半導体記憶素子などから構成されており、主制御部４００の動作用プログラムを記憶したＲＯＭや、主制御部４００の作業領域として利用されるＲＡＭなどを含んでいる。また、各種データやアプリケーションプログラムなどを記憶しておくための磁気ディスク装置（ハードディスク）やリムーバブルディスクメディア（ＣＤ−Ｒ、ＭＯ等）などの補助記憶装置をさらに含んでいてもよい。
【００４４】
表示部４０４は、モニタ装置やスピーカ等から構成されるものであり、映像及び音声による情報をクライアント装置の操作者に表示する。入力部４０６は、本クライアント装置に対する操作者からの入力操作を受け付けるものであり、例えば、キーボード及びマウスを含んでいる。
【００４５】
ネットワークインターフェイス部４０８は、ネットワークを通じてクライアント装置との通信を可能にするためのインターフェイスであり、ＮＩＣ（Network Interface Card）等のネットワークアダプタ及びこれを駆動するためのソフトウェアから構成されるものである。例えば、ネットワークがインターネットである場合には、ＴＣＰ／ＩＰ等のプロトコルを利用して通信を行うことができる。
【００４６】
ユーザインターフェイス部４１０は、建材メーカーのサーバ装置において実現される各種サービスをユーザに提供する機能（クライアント−サーバシステムにおけるプレゼンテーション層の機能）を備えている。具体的には、ネットワークを通じて建材メーカーのサーバ装置から受信した各種データや情報を所定の形式で、表示部４０４等を介してユーザに表示し、あるいは記憶部４０２に記憶させ、また、ユーザが入力部４０６から入力した各種データや情報を建材メーカーのサーバ装置に送信する機能を有するプログラム等として実装することができる。一般的には、ＷＥＢブラウザ等のプログラムが用いられることが多いが、本実施形態のシステムでは、施工シミュレーションを行うために図形処理等のプラグインソフトなどを必要に応じてＷＥＢブラウザ等に追加したものを用いるのが好ましい。
【００４７】
設計図面編集ソフトウェア４１２は、住宅の設計図面を作成、編集、加工等するための製図ソフトウェアであり、例えば、アーキトレンド２１（株式会社ティーアイシステム）やＣＧ２０００（株式会社シ−ピ−ユ−）などの専用ＣＡＤソフトウェア、ＡｕｔｏＣＡＤなどの汎用ＣＡＤソフトウェア、その他ＣＡＤシステムとデータ互換性を有する製図ソフトウェア等を用いることができる。
【００４８】
[４] 建材の施工シミュレーションシステムの利用形態
次に、上記のように構成された本実施形態の建材の施工シミュレーションシステムの利用形態とクライアント装置及びサーバ装置の動作について詳細に説明する。図５は、顧客等がクライアント装置から本システムを利用して施工シミュレーションを行う際の処理の流れを概略的に示すフローチャートである。
【００４９】
本システムを利用しようとする顧客等は、まず、クライアント装置の設計図面編集ソフトウェア４１２により建築しようとしている住宅の設計図面を作成し、その設計図面データを建材メーカーのサーバ装置にアップロードする（ステップＳ５１）。ところで、アップロードされる設計図面データの態様は、クライアント装置の有している設計図面編集ソフトウェア４１２の種類によって異なり得る。例えば、アーキトレンド２１を利用している場合には、製図段階で設計図面中の住宅の部位が認識されており、この設計図面データはそのまま本システムにおいて取り扱うことができる。
【００５０】
一方、汎用ＣＡＤソフトウェア等の場合は、設計図面中の住宅の部位が認識されていないため、顧客等は、設計図面データをサーバ装置にアップロードされた後、図面中の住宅の部位、形状、寸法等の確定を行わなければならない。この作業を行うための表示画面の例を図６及び図７に示す。この機能はデザイン管理部２０６により提供されるものである。こうして本システムで取り扱い可能な形態のデータとなった設計図面データは、データベース２２０の設計図面ファイル２２２に顧客情報と関連付けて格納される。また、顧客は予め所定の顧客情報をサーバ装置にアップロードしているものとする。
【００５１】
本実施形態では、アップロードされた設計図面データを用いて施工シミュレーションを開始する前に、建材選定部２０８により、施工シミュレーションの対象である住宅に使用可能な建材が選定される（ステップＳ５２）。図８は、建材選定部２０８による建材選定の処理の流れを詳細に示すフローチャートである。図８において、建材選定部２０８は、データベース２２０の各ファイルから、施工シミュレーションの対象である住宅及びその顧客について、顧客情報データ、設計基礎データ、仕様データ、施工基礎データを取得し（ステップＳ８１）、同様に法令情報データを取得し（ステップＳ８２）、これらの情報から、関係法令遵守のために満たしていなければいけない建材商品の性能に関する条件を生成する（ステップＳ８３）。例えば、顧客情報データや施工基礎データなどから住宅の所在地域を割り出して法令情報データを参照すれば、その住宅が防火地域にあるのか準防火地域にあるのかなどが判定される。また、設計基礎データや施工基礎データなどから住宅の用途、階数及び延べ床面積を割り出して法令情報データを参照すれば、その住宅に適用される防火規制が分かる。そして、その防火規制をクリアするために建材商品が有していなければならない性能等が特定されることとなる。これを第１の建材選定条件として、サーバ装置の記憶部２０２に記憶しておく。
【００５２】
再び図５において、ステップＳ５２における処理を終えると、さらに、顧客等にデザインコンセプトを設定させる（ステップＳ５３）。図９は、建材選定部２０８によるデザインコンセプト設定の処理の流れを詳細に示すフローチャートである。図９において、建材選定部２０８は、顧客等にデザインコンセプトを設定させた後（ステップＳ９１）、そのデザインコンセプトに適合するために、建材ファイルのデザインコンセプトデータが満たしていなければならない条件を生成する（ステップＳ９２）。これを第２の建材選定条件として、サーバ装置の記憶部２０２に記憶しておく。図１０は、顧客等にデザインコンセプトを設定させるための表示画面を例示する図である。図示するように、顧客等は、住宅のスタイル（洋風、和風等）、外壁材及び屋根材の色味、配色、貼り方をそれぞれ選択することにより、デザインコンセプトを設定することができる。
【００５３】
また、この画面において自動設定をオンにすると、顧客自らが施工シミュレーションにおいて建材を選定していく上で、既に貼り付けている建材と適合するデザインの建材が自動的に選定されるよう設定される。このような機能を備えることにより、建材のデザインの選定を、出隅部材などの他の部分のデザインとのバランスを考慮して行うことができるので、全体として調和の取れたデザインを容易に作成することができる。
【００５４】
続いて、顧客は、サーバ装置にアップロードした設計図面に建材を貼り付ける施工シミュレーションを行うことができる（ステップＳ５４）。施工シミュレーションにより生成された施工イメージは、データベース２２０の施工イメージファイル２２４において顧客情報や設計図面データと関連付けて格納される。この機能はデザイン管理部２０６により提供されるものである。尚、設計図面データのサーバ装置へのアップロードが完了した後、その状態を保存して処理を終了することもできる。この場合、後に保存しておいたデータを用いて続きの処理を続行することができる。以下において、施工シミュレーションにおける処理について、詳細に説明する。
【００５５】
[５] 施工シミュレーション
図１１は、上記した施工シミュレーションの処理の流れを詳細に示すフローチャートである。以下に説明する施工シミュレーションの各ステップは、サーバ装置のデザイン管理部２０６により実行されるものであり、適宜、クライアント装置のユーザインターフェイス部４１０を介して表示部４０４においてシミュレーション画像が表示され、入力部４０６が受け付けた顧客等の操作がサーバ装置のデザイン管理部２０６に送信されるようになっている。尚、施工シミュレーションにおける画像表示については、市販されているＷＥＢ３Ｄ等のソフトウェアにより処理することができる。
【００５６】
まず、施工シミュレーションの対象となる設計図面データを取得する（ステップＳ１１１）。設計図面データは、クライアント装置からアップロードされてデータベース２２０の設計図面ファイル２２２に記憶されているものである。クライアント装置の表示部４０４には、取得した設計図面データの立面図が表示される（ステップＳ１１２）。このときクライアント装置において表示される画面の例を図１２に示す。ここでは、建材の貼り付け操作が容易になるよう住宅の一面を表した立面図を表示することとしているが、パース図等を表示してもよい。
【００５７】
顧客等は、図１２に示す画面において、建材を貼り付ける領域を選択し（ステップＳ１１３）、図１３に示すような建材貼り付けツール画面を表示させる。建材貼り付けツール画面には、選択した領域に適用可能な建材が一覧表示されている（ステップＳ１１４）。このとき、デザイン管理部２０６は、記憶部２０２に記憶してある第１の建材選定条件及び第２の建材選定条件を参照し、データベース２２０の建材ファイル２２３からこれらの条件に適合する建材データのみを取得し、建材貼り付けツール画面に表示する。尚、第２の建材選定条件において、デザインコンセプトの自動設定がオンになっている場合には、これまでの施工シミュレーションで既に貼り付けている建材のデザインコンセプトデータを建材ファイル２２３において参照し、それに適合する建材データのみを取得し、建材貼り付けツール画面に表示することとなる。
【００５８】
顧客等は、図１３の画面１において建材の柄の構成と割り付けサイズを選択し、画面２において模様を選択し、画面３において色彩を選択し、建材のデザインを確認する（ステップＳ１１５）。尚、建材を選定する操作については、この例に限定される訳ではなく、サーバ装置のデータベース２２０に記憶している建材ファイル２２３のデータ構成に応じて適切な態様（例えばカタログ形式等）で実施すればよい。尚、上記したように、本システムでは、設計図面データ中の住宅の部位が認識されているので、貼り付け領域の選択は幕板、軒天、破風板、出隅部、入隅部などの部位ごとに行うことができ、また、建材の貼り付けの際には、使用部位に適合した建材の中から貼り付ける建材を選択することができるようになっている。また、図１３では、建材を横貼りする例を示しているが、縦貼りにするか横貼りにするかは顧客が選択するようにしてもよい。
【００５９】
建材の貼り付け操作を終えると、図１２に示す立面図に建材が貼り付けられたイメージが表示されるので、顧客等は、さらに別の領域を選択して建材貼り付け操作を行うことができる（ステップＳ１１６）。建材の貼り付け操作を全て完了すると、顧客等は、さらに設計図面の他面の立面図を表示し、同様に建材の貼り付け操作を行うことができる（ステップＳ１１７）。設計図面全部について建材貼り付け操作を完了すると、設計図面に建材イメージが合成された施工イメージが表示される（ステップＳ１１８）。施工イメージを表示する画面の例を図１４に示す。尚、図１４では設計図面の一面の立面図のみを表示しているが、これに加えて、パース図等も表示するようにしてもよい。
【００６０】
顧客は、このようにして生成した施工イメージを自身のクライアント装置あるいはサーバ装置に保存したり、印刷したりすることができる。施工イメージをサーバ装置に保存する場合には、データベース２２０の施工イメージファイル２２４に施工イメージデータとして保存される。
【００６１】
[６] 建材のオンライン受注
本発明の建材の施工シミュレーションシステムのさらなる実施態様として、オンライン受注機能を備えたシステムを構成することができる。図１５は、このシステムにおけるサーバ装置及びデータベースの内部構成を概略的に示す機能ブロック図である。図１５において、サーバ装置は、受注管理部２１０を備えており、データベース２２０は受注管理ファイル２２６を備えていることを特徴とする。他の構成部分については、図２に示すものと同様である。
【００６２】
本システムでは、顧客は、建材の施工シミュレーションを行った後、その内容で建材を注文することができる。顧客がクライアント装置において注文を行うと、サーバ装置の受注管理部２１０は、受注管理ファイル２２６に受注内容を記憶する。図１６は、顧客からのオンライン注文に応じて生成される受注管理ファイル２２６のデータ構成を例示する図である。受注管理ファイル２２６において、受注内容のデータは、施工イメージファイルの見積もり結果データから生成することができる。建材メーカーの受注担当者等は、受注管理ファイル２２６において新たに生成された受注レコードを参照し、受注商品の手配をすることとなる。あるいは、受注担当者等に受注情報が電子メールで通知されるようになっていてもよい。
【００６３】
以上、本発明の建材の施工シミュレーションシステムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【００６４】
本発明の建材の施工シミュレーションシステムは、あらゆる住宅の建築において、コンピュータで取り扱い可能な設計図面データと建材のデータとから、顧客や住宅の属性情報に即して、建材貼り付けのシミュレーションを行う機能を提供することができる。
【図面の簡単な説明】
【００６５】
【図１】本発明の施工シミュレーションシステムの一実施形態について、そのシステム構成例を概略的に示す図である。
【図２】図１に示す建材メーカーのサーバ装置及びデータベースの内部構成を概略的に示す機能ブロック図である。
【図３】建材メーカーのデータベース内のファイル構成及びファイル間のリレーションを模式的に示す図である。尚、法令情報ファイルについては、他のファイルとのリレーションを持たないため、本図では図示を省略している。
【図４】図１に示す顧客所有の、あるいは工務店、設計事業者、ショールーム等に設置された各クライアント装置の内部構成を概略的に示す機能ブロック図である。
【図５】顧客等がクライアント装置から本システムを利用して施工シミュレーションを行う際の処理の流れを概略的に示すフローチャートである。
【図６】汎用ＣＡＤソフトウェア等で作成されサーバ装置にアップロードされた設計図面データについて、図面中の住宅の部位、形状、寸法等の確定を行うための表示画面の例を示す図である。
【図７】汎用ＣＡＤソフトウェア等で作成されサーバ装置にアップロードされた設計図面データについて、図面中の住宅の部位、形状、寸法等の確定を行うための表示画面の例を示す図である。
【図８】施工シミュレーションの対象である住宅に使用可能な建材を選定する処理（図５に示すステップＳ５２に相当）の流れを詳細に示すフローチャートである。
【図９】顧客等がデザインコンセプトを設定した場合の処理（図５に示すステップＳ５３に相当）の流れを詳細に示すフローチャートである。
【図１０】顧客等にデザインコンセプトを設定させるための表示画面を例示する図である。
【図１１】本システムにける施工シミュレーションの処理の流れを詳細に示すフローチャートである。
【図１２】施工シミュレーションにおいてクライアント装置において表示される画面の例を示す図である。
【図１３】施工シミュレーションにおいてクライアント装置において表示される建材貼り付けツール画面の例を示す図である。
【図１４】施工シミュレーションにおいてクライアント装置において表示される画面の例を示す図である。
【図１５】図２の実施形態にさらにオンライン受注機能を備えたシステムにおけるサーバ装置及びデータベースの内部構成を概略的に示す機能ブロック図である。
【図１６】図１５に示すデータベースの受注管理ファイルのデータ構成を例示する図である。
【図１７】建築建基準法の規定に基づいて、建築物と、外壁に要求される耐火構造とからある建材商品が使用できるかどうかを一覧表示した図である。
【図１８】建築建基準法の規定に基づいて、防火地域において建築物の用途や延べ床面積、防火規制等からある建材商品が使用できるかどうかを一覧表示した図である。
【図１９】建築建基準法の規定に基づいて、準防火地域において建築物の用途や延べ床面積、防火規制等からある建材商品が使用できるかどうかを一覧表示した図である。
【符号の説明】
【００６６】
２００  主制御部
２０２  記憶部
２０４  ネットワークインターフェイス部
２０６  デザイン管理部
２０８  建材選定部
２１０  受注管理部
２２０  データベース
２２１  顧客情報ファイル
２２２  設計図面ファイル
２２３  建材ファイル
２２４  施工イメージファイル
２２５  法令情報ファイル
２２６  受注管理ファイル
４００  主制御部
４０２  記憶部
４０４  表示部
４０６  入力部
４０８  ネットワークインターフェイス部
４１０  ユーザインターフェイス部
４１２  設計図面編集ソフトウェア
【図１】
2005242925.tif 000003
【図２】
2005242925.tif 000004
【図３】
2005242925.tif 000005
【図４】
2005242925.tif 000006
【図５】
2005242925.tif 000007
【図６】
2005242925.tif 000008
【図７】
2005242925.tif 000009
【図８】
2005242925.tif 000010
【図９】
2005242925.tif 000011
【図１０】
2005242925.tif 000012
【図１１】
2005242925.tif 000013
【図１２】
2005242925.tif 000014
【図１３】
2005242925.tif 000015
【図１４】
2005242925.tif 000016
【図１５】
2005242925.tif 000017
【図１６】
2005242925.tif 000018
【図１７】
2005242925.tif 000019
【図１８】
2005242925.tif 000020
【図１９】
2005242925.tif 000021